(57)【要約】【課題】温度表示に違和感の無い電気湯沸かし器を提供する。【解決手段】容器２内の液体を加熱する加熱源３と、液体の温度を検出する温度検知手段４と、液体の水量を判定する水量判定手段６と、水量判定前に温度検知手段４で検出した温度と実際の液体温度の差を補正する水量判定前補正手段８と、水量判定後に水量判定結果に応じて温度検知手段４で検出した温度と実際の液体温度の差を補正する水量判定後補正手段７と、水量判定前補正手段８または水量判定後補正手段７で確定された温度を表示する表示手段５とを備え、水量判定後、水量判定前補正手段８から水量判定後補正手段７に切り換わるとき、水量判定後補正手段７で確定された温度が、水量判定前補正手段８で確定された温度より低い場合、水量判定前補正手段８で確定された温度の表示を継続するもので、湯温未変化時に、表示された湯温が一時的に下降することによる違和感が無い。【選択図】図１
2011224287.tif 000002
【特許請求の範囲】
【請求項１】
液体を収容する容器と、液体を加熱する加熱源と、液体の温度を検出する温度検知手段と、液体の水量を判定する水量判定手段と、前記水量判定手段による水量判定前に、前記温度検知手段により検出した温度と実際の液体温度の差を補正する水量判定前補正手段と、前記水量判定手段による水量判定後に、水量判定結果に応じて前記温度検知手段により検出した温度と実際の液体温度の差を補正する水量判定後補正手段と、前記水量判定前補正手段または前記水量判定後補正手段により確定された温度を表示する表示手段と、前記表示手段を制御する制御手段を備え、水量判定後、前記水量判定前補正手段から前記水量判定後補正手段に切り換わるとき、前記水量判定後補正手段により確定された温度が、前記水量判定前補正手段により確定された温度より低い場合には、前記水量判定前補正手段により確定された温度の表示を継続するようにした電気湯沸かし器。
【請求項２】
水量判定前補正手段により確定された温度の表示を継続中に、容器内の液体の温度が低下したことを検知すると、前記水量判定前補正手段により確定された温度表示の継続を中止することを特徴とした請求項１に記載の電気湯沸かし器。
【請求項３】
水量判定前補正手段により確定された温度の表示を継続中に、容器内の液体の温度が低下したことを検知すると、水量判定手段により液体の水量を再判定することを特徴とした請求項１又は２に記載の電気湯沸かし器。
【請求項４】
水量判定前補正手段により確定された温度の表示を点滅して行うようにした請求項１〜３のいずれか１項に記載の電気湯沸かし器。
【発明の詳細な説明】
【技術分野】
【０００１】
本発明は、電気湯沸かし器に関するものである。
【背景技術】
【０００２】
従来、電源供給をＡＣ電源供給からバックアップ電源による供給に移行した後、湯温表示は、商用電源の供給が終了したときの温度を所定時間維持させている（例えば、特許文献１参照）。
【０００３】
この電気湯沸かし器によれば、バックアップ電源による電源供給に移行した後、所定時間は商用電源の供給が終了したときの温度表示を維持することで、湯温表示のちらつきを防止し、違和感をなくすことができ、使い勝手を向上させることができるものである。
【先行技術文献】
【特許文献】
【０００４】
【特許文献１】特許第３６０６２４８号公報
【発明の概要】
【発明が解決しようとする課題】
【０００５】
しかしながら、上記特許文献１に記載されたような従来の電気湯沸かし器の構成によれば、電源供給中の湯沸かし時、容器と温度センサーの構成等により容器内の温度を検知する温度センサーと実際の水温の間で差が生じる場合には、容器内の水量を判定し、その判定結果に基づき温度センサーにより検出した温度を補正するが、水量判定前は水量確定前補正値、つまり水量に影響されない仮補正値に基づき補正しているため、水量判定前後の水量確定前補正値と水量確定後補正値の差によっては、水追加等の動作が無く湯温が未変化にもかかわらず、温度表示が例えば「５０→４５→５０」のように一時的に下降してしまうことがある。
【０００６】
このため、ＡＣ電源供給からバックアップ電源による電源供給に移行した後の湯温表示は違和感なく使い勝手は良かったが、ＡＣ電源供給中の湯沸かし時等、水追加等の動作が無く湯温が未変化時において、使用状況や温度表示タイミングによっては、湯温表示が一時的に下降するため、湯温表示に関して違和感があり、使い勝手が良くなかった。
【０００７】
本発明は、前記従来の課題を解決するもので、ＡＣ電源供給中の湯沸かし時、水量判定終了後、水量判定前の水量確定前補正値から水量判定後の水量確定後補正値に切り換わったとき、水量判定後補正手段により確定された温度が水量判定前補正手段により確定された温度より低い場合には、水量判定前補正手段により確定された温度の表示を継続することで、例えば、水追加等の動作が無く湯温が未変化にもかかわらず、湯温表示が「温度５０」から「温度４５」に切り換わる可能性があるとき、「温度４５」に切り替えずに「温度５０」を継続することで「温度４５」に一時的に下降することを防止し、違和感をなくすことができ、使い勝手を向上させた電気湯沸かし器を提供することを目的とする。
【課題を解決するための手段】
【０００８】
前記従来の課題を解決するために、本発明の電気湯沸かし器は、液体を収容する容器と、液体を加熱する加熱源と、液体の温度を検出する温度検知手段と、液体の水量を判定する水量判定手段と、前記水量判定手段による水量判定前に、前記温度検知手段により検出した温度と実際の液体温度の差を補正する水量判定前補正手段と、前記水量判定手段による水量判定後に、水量判定結果に応じて前記温度検知手段により検出した温度と実際の液
体温度の差を補正する水量判定後補正手段と、前記水量判定前補正手段または前記水量判定後補正手段により確定された温度を表示する表示手段と、前記表示手段を制御する制御手段を備え、水量判定後、前記水量判定前補正手段から前記水量判定後補正手段に切り換わるとき、前記水量判定後補正手段により確定された温度が、前記水量判定前補正手段により確定された温度より低い場合には、前記水量判定前補正手段により確定された温度の表示を継続するようにしたもので、水追加等の動作が無く湯温が未変化時において、表示された湯温が一時的に下降するのを防止し、違和感をなくすことができ、使い勝手を向上させることができる。
【発明の効果】
【０００９】
本発明の電気湯沸かし器は、水量判定終了後、水量判定前補正手段から水量判定後補正手段に切り換わるとき、水量判定後補正手段により確定された温度が水量判定前補正手段により確定された温度より低い場合には、水量判定前補正手段により確定された温度の表示を継続することで、水追加等の動作が無く湯温が未変化時において、湯温表示が一時的に下降することを防止し、違和感をなくすことができる。
【図面の簡単な説明】
【００１０】
【図１】本発明の実施の形態１における電気湯沸かし器のブロック図
【図２】本発明の実施の形態２における電気湯沸かし器のブロック図
【発明を実施するための形態】
【００１１】
第１の発明は、液体を収容する容器と、液体を加熱する加熱源と、液体の温度を検出する温度検知手段と、液体の水量を判定する水量判定手段と、前記水量判定手段による水量判定前に、前記温度検知手段により検出した温度と実際の液体温度の差を補正する水量判定前補正手段と、前記水量判定手段による水量判定後に、水量判定結果に応じて前記温度検知手段により検出した温度と実際の液体温度の差を補正する水量判定後補正手段と、前記水量判定前補正手段または前記水量判定後補正手段により確定された温度を表示する表示手段と、前記表示手段を制御する制御手段を備え、水量判定後、前記水量判定前補正手段から前記水量判定後補正手段に切り換わるとき、前記水量判定後補正手段により確定された温度が、前記水量判定前補正手段により確定された温度より低い場合には、前記水量判定前補正手段により確定された温度の表示を継続するようにしたもので、水追加等の動作が無く湯温が未変化時において、表示された湯温が一時的に下降するのを防止し、違和感をなくすことができ、使い勝手を向上させることができる。
【００１２】
第２の発明は、特に、第１の発明の水量判定前補正手段により確定された温度の表示を継続中に、容器内の液体の温度が低下したことを検知すると、前記水量判定前補正手段により確定された温度表示の継続を中止するもので、表示の利便性及び機能性を向上させることができる。
【００１３】
第３の発明は、特に、第１又は第２の発明の水量判定前補正手段により確定された温度の表示を継続中に、容器内の液体の温度が低下したことを検知すると、水量判定手段により液体の水量を再判定するもので、容器内の水量に応じた適正な温度表示を行うことができる。
【００１４】
第４の発明は、特に、第１〜第３のいずれか１つの発明の水量判定前補正手段により確定された温度の表示を点滅して行うようにしたもので、容器内の水量が未確定であり温度表示に誤差があることを使用者に知らしめることで、表示の利便性を向上させることができる。
【００１５】
以下、本発明の実施の形態について、図面を参照しながら説明する。なお、この実施の
形態によって本発明が限定されるものではない。
【００１６】
（実施の形態１）
図１は、本発明の第１の実施の形態における電気湯沸かし器のブロック図を示すものである。
【００１７】
図１において、１は、商用電源を供給するための電源プラグ、２は、加熱する液体を収容する容器、３は、９２５Ｗ、７５Ｗの２つのヒータからなり容器２を加熱する加熱源、４は、容器２内の液体の温度を検知する温度検知手段、５は、容器２の中の液体の温度（本実施の形態では５℃から１００℃まで５℃毎）等を表示する表示手段、６は、温度検知手段４からの温度入力値に基づき容器２の中の液体の水量を判定する水量判定手段、７は、水量判定手段６による水量判定結果と温度検知手段４からの温度入力値に応じて容器２の中の液体の水量に応じた補正値を決定する水量判定後補正手段、８は、水量判定手段６による水量確定前に、温度検知手段４からの温度入力値に応じて容器２の中の液体の補正値を決定する水量判定前補正手段、９は、水量判定後補正手段７と水量判定前補正手段８による補正結果を比較して、水量判定後補正手段７による補正結果が水量判定前補正手段８による補正結果未満であるか否かを判定する補正結果判定手段、１０は、温度検知手段４からの温度入力値と補正結果判定手段９に応じて表示手段５および加熱源３を制御する制御手段である。
【００１８】
なお、容器２内の液体は、ポンプ１１によりパイプ１２を介して吐出口１３より吐出されるものである。
【００１９】
以上のように構成された本実施の形態における電気湯沸かし器の動作、作用は、以下の通りである。
【００２０】
電源プラグ１が装着され商用電源が供給されると、まず、温度検知手段４により容器２内の液体の温度を検知し、検知した温度が低い場合には、制御手段１０により、加熱源３を制御し容器２内の液体の加熱を開始する。また、検知した温度が高い場合には、制御手段１０により、加熱源３を制御し容器２内の液体の保温を行う。
【００２１】
このとき、温度検知手段４で検知した液体の温度と容器２内の液体の実際の水温の間で差が生じる場合には、制御手段１０は表示手段５を制御し、温度検知手段４で検知した液体の温度に対し、加熱中は、補正値に基づいた温度表示、保温中は、補正値に基づきかつ設定した保温温度以上を表示する温度表示を行う。
【００２２】
ここで、加熱中の補正値に基づいた温度表示において、水量判定前補正手段８から水量判定後補正手段７に切り換わるタイミングにおいて、表示手段５による温度表示の差を比較する補正結果判定手段９は、水量判定後補正手段７による補正結果が、水量判定前補正手段８による補正結果未満という判定結果であるならば、水量判定前補正手段８による補正の温度表示を継続し、水量判定前補正手段８による補正結果以上という判定結果であるならば、水量判定後補正手段７による補正の表示値に切り替え、それぞれにおいて温度を表示する。
【００２３】
以上のように、本実施の形態における電気湯沸かし器の構成により、水量判定終了後、水量判定前補正手段８から水量判定後補正手段７に切り換わるとき、水量判定後補正手段７により確定された温度が水量判定前補正手段８により確定された温度より低い場合には、水量判定前補正手段８により確定された温度の表示を継続することで、水追加等の動作が無く湯温が未変化時において、湯温表示が一時的に下降することを防止し、湯温表示の違和感をなくすことができる。
【００２４】
（実施の形態２）
図２は、本発明の第２の実施の形態における電気湯沸かし器のブロック図を示すものである。なお、上記第１の実施の形態における電気湯沸かし器と同一部分には、同一の符号を付与し、その説明を省略する。
【００２５】
本実施の形態において、上記実施の形態１と異なる点は、温度検知手段４からの温度入力値に応じて容器２の中の液体の温度低下を検知する温度低下検知手段１４を新たに設けて、表示手段５による水量判定前補正手段８による補正の温度表示を継続中、制御手段１０が、温度低下検知手段１４により容器２内の液体の温度低下を検知すると、水量判定前補正手段８により確定された温度表示の継続を中止するようにしたもので、他の構成、動作は、上記第１の実施の形態における電気湯沸かし器と同じである。
【００２６】
このような構成により、水追加等の動作が無く湯温が未変化時において、湯温表示が一時的に下降することを防止できるだけでなく、水量判定前補正手段８による補正の温度表示の継続中、水追加等により水量が変化した場合においては、即、水量判定前補正手段８による補正の温度表示の継続を中止させることで、表示の利便性を向上させることができる。
【００２７】
また、水量判定前補正手段８による補正の温度表示を表示手段５により継続中、制御手段１０が、温度低下検知手段１４により容器２内の液体の温度低下を検知したときに、水量判定手段６により液体の水量を再判定するようにすれば、水量確定後、水量判定前補正手段８による補正の温度表示を表示手段５により継続中、水追加等により水量が変化した場合においても、水量判定手段６により容器２の中の液体の水量を再度判定することで、常時、容器２内の水量に応じた適正な温度表示を行うことができ、表示の利便性及び機能性を向上させることができる。
【００２８】
また、水量判定前補正手段８により確定された温度の表示中は、その表示を点滅（本実施の形態では、１秒ＯＮ、０．５秒ＯＦＦ）して行うようにすれば、容器２内の水量が未確定であり温度表示に誤差があることを使用者に知らしめることができ、表示の利便性をさらに向上させることができる。
【産業上の利用可能性】
【００２９】
以上のように、本発明にかかる電気湯沸かし器は、水追加等の動作が無く湯温が未変化時において、湯温表示が一時的に下降することを防止し、湯温表示の違和感をなくすことができるものであり、ビルトインタイプの給湯器などを含む多くの家庭電化製品や、容器内の液体温度を表示する機能を有する各種機器にも適用できる。
【符号の説明】
【００３０】
１  電源プラグ
２  容器
３  加熱源
４  温度検知手段
５  表示手段
６  水量判定手段
７  水量判定後補正手段
８  水量判定前補正手段
９  補正結果判定手段
１０  制御手段
１１  ポンプ
１２  パイプ
１３  吐出口
１４  温度低下検知手段
【図１】
2011224287.tif 000003
【図２】
2011224287.tif 000004